(57)【要約】【課題】アドバンスローラ及びこれに付随する圧着ローラの数を減らすことにより、組立工数を少なくすると共に、コスト低減を図ることができる記録材料の搬送機構及び搬送方法を提供する。【解決手段】本発明は、記録材料Ｐをそれぞれ収容した一対のマガジン２１，２１と、各マガジン２１から排出された記録材料Ｐを受けて下流側に搬送させるための搬送ローラ３１とを備えた搬送機構であって、搬送ローラ３１に対する各記録材料Ｐの巻き付け方向が互いに反対となるような配置で該搬送ローラ３１を配置し、且つ該搬送ローラ３１の回転方向を変えることにより、何れかの記録材料Ｐのみを選択的に搬送するよう構成されている。【選択図】　　　図２
2004018197.tif 000002
【特許請求の範囲】
【請求項１】
記録材料（Ｐ）をそれぞれ収容した一対のマガジン（２１，２１）と、各マガジン（２１）から排出された記録材料（Ｐ）を受けて下流側に搬送させるための搬送ローラ（３１）とを備えた搬送機構であって、搬送ローラ（３１）に対する各記録材料（Ｐ）の巻き付け方向が互いに反対となるような配置で該搬送ローラ（３１）を配置し、且つ該搬送ローラ（３１）の回転方向を変えることにより、何れかの記録材料（Ｐ）のみを選択的に搬送するよう構成されてなることを特徴とする搬送機構。
【請求項２】
前記各マガジン（２１）は、収容された記録材料（Ｐ）を外部に排出させるための回転駆動体（２３）をそれぞれ備え、しかも、前記搬送ローラ（３１）の回転を何れか一方の回転駆動体（２３）のみに伝達させるための回転伝達・切換手段（３１ａ，３６ａ，２５ａ，２６ａ，３７，３８，３９）をさらに備えてなる請求項１記載の搬送機構。
【請求項３】
記録材料（Ｐ）をそれぞれ収容した一対のマガジン（２１，２１）と、各マガジン（２１）から排出された記録材料（Ｐ）を受けて下流側に搬送させるための搬送ローラ（３１）とを備えた搬送機構における記録材料（Ｐ）の搬送方法であって、搬送ローラ（３１）に対する一方の記録材料（Ｐ）の巻き付け方向と搬送ローラ（３１）に対する他方の記録材料（Ｐ）の巻き付け方向とを互いに反対とし、搬送ローラ（３１）の回転方向を変えることにより、何れかの記録材料（Ｐ）のみを選択的に搬送するよう構成されてなることを特徴とする搬送方法。
【発明の詳細な説明】
【０００１】
【発明の属する技術分野】
本発明は、記録材料を有したマガジンを少なくとも二以上備えた搬送機構に関し、特に、写真処理に使用される長尺の感光材料をロール状にして収容したマガジンを少なくとも二以上搭載した写真処理装置に適している。
【０００２】
【従来の技術】
写真フィルムに光を照射し、その写真フィルムの画像を感光材料（記録材料の一形態）に焼付けて露光処理を施した後、この感光材料に現像処理を施すことで写真を得る写真処理装置においては、装置本体に着脱自在に搭載されるマガジン内に長尺の感光材料をロール状にして収容する方式が従来より採用されている。かかる写真処理装置によれば、マガジンから感光材料を引き出して装置本体内に送り込む構成となっている。
【０００３】
そして、サービスサイズ、キャビネサイズ、Ｌサイズ、四切り、六切り等の種々のサイズの写真を一台の写真処理装置にて処理すべく、通常は、幅サイズの異なる感光材料を収容したマガジンを複数個用意しておき、オーダーに応じて写真処理装置に搭載すべきマガジンに取り替えるようにしている。
【０００４】
また、近年は、マガジンの取り替えを少なくすることにより長時間の連続自動運転を図る施策の一つとして、幅サイズが同一あるいは異なる感光材料を収容したマガジンを二つ並べて装置本体に搭載した、いわゆるダブルマガジン方式の写真処理装置が提供されている。
【０００５】
上記ダブルマガジン方式としては、図４に示す如く、特開２００１−９２１０２号公報所載のものが公知である。写真処理装置の筐体５０内には、感光材料Ｐがロール状に巻回された一対のマガジン５１，５１（第一のマガジン５１Ａ，第二のマガジン５１Ｂ）と、各マガジン５１から供給される感光材料Ｐを露光ステージ（図示せず）に搬送する搬送ユニット５２等とが設けられ、また、搬送ユニット５２には、マガジン５１内の感光材料Ｐを所定長さ引き出すべく構成されたアドバンスローラ５３（第一のアドバンスローラ５３Ａ，第二のアドバンスローラ５３Ｂ）及び該アドバンスローラ５３との間で感光材料Ｐを挟持して搬送すべく構成された圧着ローラ５４（第一の圧着ローラ５４Ａ，第二の圧着ローラ５４Ｂ）からなる搬送ローラ部が各マガジン５１に対応して一対設けられる他、感光材料Ｐを幅方向で切断するカッタ５５、各アドバンスローラ５３から供給される感光材料Ｐをカッタ５５に送り出すガイドローラ５６等が設けられている。
【０００６】
かかる写真処理装置によれば、第一のマガジン５１Ａから水平方向に送り出された感光材料Ｐは、第一のアドバンスローラ５３Ａ及び第一の圧着ローラ５４Ａ、そして、しかる後のガイドローラ５６によって下流側へ搬送され、カッタ５５により所定送り長さで切断される。一方、第二のマガジン５１Ｂから垂下方向に送り出された感光材料Ｐは、第二のアドバンスローラ５３Ｂ及び第二の圧着ローラ５４Ｂ、そして、しかる後のガイドローラ５６によって下流側へ搬送され、カッタ５５により所定送り長さで切断される。従って、搬送ユニット５２における感光材料Ｐの搬送経路は、各マガジン５１からの搬送経路がガイドローラ５６の近傍位置にて一本に合流する形態となっている。
【０００７】
【発明が解決しようとする課題】
このように、感光材料Ｐの搬送経路を挟んで一対のマガジン５１，５１を対向配置するようなダブルマガジン方式は、感光材料Ｐを送り出すためのアドバンスローラ５３（及びこれに付随する圧着ローラ５４）を各マガジン５１に対して一個ずつ設けるのが一般的であるが、アドバンスローラ５３は、感光材料Ｐの搬送性に大きく関与するため、搬送ユニット５２への高い組み付け精度が要求されるだけでなく、それ自身にも高精度、高強度が要求される。従って、アドバンスローラ５３の個数が複数である分、圧着ローラの個数が増えることも相俟って、組立作業に時間がかかると共に、コストが高騰するという問題を含んでいる。
【０００８】
そこで、本発明は、上記の如き問題点に鑑みてなされたもので、アドバンスローラ及びこれに付随する圧着ローラの数を減らすことにより、組立工数を少なくすると共に、コスト低減を図ることができる記録材料の搬送機構及び搬送方法を提供することを課題とする。
【０００９】
【課題を解決するための手段】
上記課題を解決すべく、本発明に係る搬送機構は、記録材料Ｐをそれぞれ収容した一対のマガジン２１，２１と、各マガジン２１から排出された記録材料Ｐを受けて下流側に搬送させるための搬送ローラ３１とを備えた搬送機構であって、搬送ローラ３１に対する各記録材料Ｐの巻き付け方向が互いに反対となるような配置で該搬送ローラ３１を配置し、且つ該搬送ローラ３１の回転方向を変えることにより、何れかの記録材料Ｐのみを選択的に搬送するよう構成されてなることを特徴とする。
【００１０】
上記構成からなる搬送機構によれば、一方の記録材料Ｐの搬送経路から他方の記録材料Ｐを退避させた状態で、一方のマガジン２１から一方の記録材料Ｐを送り出すと共に、搬送ローラ３１を一方向に回転させることにより、一方の記録材料Ｐのみを下流側に搬送させることができる。また、他方の記録材料Ｐの搬送経路から一方の記録材料Ｐを退避させた状態で、他方のマガジン２１から他方の記録材料Ｐを送り出すと共に、搬送ローラ３１を反対方向に回転させることにより、他方の記録材料Ｐのみを下流側に搬送させることができる。
【００１１】
この場合、前記各マガジン２１は、収容された記録材料Ｐを外部に排出させるための回転駆動体２３をそれぞれ備え、しかも、前記搬送ローラ３１の回転を何れか一方の回転駆動体２３のみに伝達させるための回転伝達・切換手段３１ａ，３６ａ，２５ａ，２６ａ，３７，３８，３９をさらに備えてなるように構成するのが好ましい。かかる構成からなる搬送機構によれば、搬送ローラ３１と一対のマガジン２１，２１のうちの何れかの回転駆動体２３とが同期回転すると共に、残りの回転駆動体２３は回転を停止しており、従って、何れかの記録材料Ｐのみが下流側に搬送される。
【００１２】
【発明の実施の形態】
以下、本発明の一実施形態を図面を参酌しつつ説明する。
【００１３】
図１は、本実施形態に係る写真処理装置の概略斜視図を示したものである。本実施形態に係る写真処理装置の装置本体１は、ロール状に巻回された感光材料（記録材料の一形態）を所定の大きさに切断し、フィルム上の画像を拡大投影して感光材料を露光処理する露光処理部２と、露光処理された感光材料を現像処理する現像処理部８と、現像処理された感光材料を乾燥処理する乾燥処理ユニット９と、乾燥処理された感光材料をオーダー毎に仕分け処理する仕分け処理ユニット１１等とを用いて構成されている。
【００１４】
露光処理部２は、露光ステージに位置決めされた感光材料の露光処理を行う露光処理ユニット及びマガジンから感光材料を適宜引き出して露光ステージに搬送する搬送ユニット等を筐体２ａ内に備えている。そして、露光ステージに位置決めされた感光材料に対して直交する方向には、レンズユニットが配されており、光源部３から発せられた光がミラートンネル４内で反射され、フィルムマスク５にセットされたフィルム上の画像を通り、レンズユニットに投射されるように構成されている。また、露光処理部２の上部には、スキャナーユニットにより撮像されたフィルムの画像を表示させるためのモニタ６が搭載されている。
【００１５】
現像処理部８は、露光処理された感光材料を現像、漂白、定着、および安定化処理するものであり、外部からの迷光による感光を防止するため、その内部は暗室になっている。また、現像処理部８内には、現像処理ユニットとして、現像処理タンク、定着処理タンク、および安定化処理タンクが感光材料の搬送方向に従って順に配列されており、各処理タンク内を順に感光材料を所定速度で搬送するために、搬送ローラや搬送ベルト等からなる搬送ユニットが設けられている。
【００１６】
乾燥処理ユニット９は、現像処理された感光材料の乾燥を行なうものであり、その内部には、搬送される感光材料に対して温風を吹き付けるためのブロアが配されている。乾燥ユニット９の上部は、装置から上方に突出した態様となっていて、乾燥された感光材料は、その装置上部の排出口１０を介して外部に排出されるように構成されている。
【００１７】
仕分け処理ユニット１１は、排出口１０を介して外部に排出された感光材料を、装置内での感光材料の搬送方向に対して略直交するＸ方向に搬送する第一搬送ユニット１２と、該第一搬送ユニット１２の下流側端部１２ａの近傍に配され、第一搬送ユニット１２により搬出された感光材料を、装置内での感光材料の搬送方向に対して略平行するＹ方向に搬送する第二搬送ユニット１６と、該第二搬送ユニット１６を挟んで第一搬送ユニット１２と対向する当接板１９等とを用いて構成されている。当接板１９は、装置本体１に固着された板体であって、第一搬送ユニット１２の下流側端１２ａから飛び出した感光材料を当接係止してその手前の第二搬送ユニット１６上に落とすためのものである。
【００１８】
図２は、図１で示した写真処理装置における露光処理部２内の概略断面図を示したものであり、具体的には、筐体２ａのカバー２ｂを開放した状態における各構成要素の配置を示したものである。本実施形態に係る露光処理部２には、感光材料Ｐを供給する感光材料供給手段が設けられている。
【００１９】
感光材料供給手段は、感光材料Ｐがロール状に巻回されたマガジン２１（第一のマガジン２１Ａ，第二のマガジン２１Ｂ）と、適宜各マガジン２１から感光材料Ｐを長手方向に引き出して、下流側である第二の搬送ユニット４０に搬送させる第一の搬送ユニット３０とを用いて構成されている。
【００２０】
マガジン２１は、筐体２ａ内に配設されたレール（図示しない）をスライドして、筐体２ａから感光材料Ｐの搬送経路の幅方向（カバー２ｂ，２ｂを開いて手前側）に引き出し可能且つ着脱可能に収容されているもので、このマガジン２１内には、回転自在に支持された芯体２２と、該芯体２２に外挿されたロール状の感光材料（ロール体）Ｐと、ロール体から巻き戻された感光材料Ｐを挟持して搬送する一対の送り出しローラ（回転駆動体）２３（第一の送り出しローラ２３Ａ，第二の送り出しローラ２３Ｂ）とが配設され、さらに、箱型に形成されたマガジン２１の一角部には、感光材料Ｐを外部に排出するための供給口２４（送り出しローラ２３の後流側の開口部）が設けられている。
【００２１】
第一の搬送ユニット３０も、筐体２ａ内に配設されたレール（図示しない）をスライドして、筐体２ａから感光材料Ｐの搬送経路の幅方向（カバー２ｂ，２ｂを開いて手前側）に引き出し可能に収容されているもので、この搬送ユニット３０内には、マガジン２１内の感光材料Ｐを所定長さで引き出すべく構成されたアドバンスローラ（搬送ローラ）３１及び該アドバンスローラ３１との間で感光材料Ｐを挟持して搬送すべく構成された圧着ローラ３２からなる搬送ローラ部と、感光材料Ｐを幅方向で切断するカッタ３３と、アドバンスローラ３１から供給される感光材料Ｐをカッタ３３に送り出すガイドローラ３４と、各マガジン２１から供給されるそれぞれ感光材料Ｐの搬送経路を画定するガイド部材としてのガイド板３５等とが設けられている。
【００２２】
一方のマガジン２１Ａから供給される感光材料Ｐの搬送経路は、アドバンスローラ３１を一方側から巻き付くように通り、該アドバンスローラ３１にて方向が転換された後、対向するマガジン２１，２１間を通るように設定（搬送経路Ｌ１→Ｌ３）されており、他方のマガジン２１Ｂから供給される感光材料Ｐの搬送経路は、アドバンスローラ３１を他方側から巻き付くように通り、該アドバンスローラ３１にて方向が転換された後、先の搬送経路（共通搬送経路）Ｌ３と合流するように設定（搬送経路Ｌ２→Ｌ３）されている。
【００２３】
アドバンスローラ３１は、駆動モータ（図示しない）の回転が伝達されて回転するもので、制御手段の制御に基づく駆動モータの正転・逆転に応じて正逆両方向の回転が可能となっている。圧着ローラ３２は、アドバンスローラ３１の周面に当接する圧着姿勢を常時取る第一の圧着ローラ３２Ａと、アドバンスローラ３１の周面に当接する圧着姿勢及び離間する圧着解除姿勢の何れかに姿勢変更が可能な第二及び第三の圧着ローラ３２Ｂ，３２Ｃとからなる。
【００２４】
第一の圧着ローラ３２Ａは、搬送経路Ｌ１と搬送経路Ｌ２とが重なり合う部分に配置されるもので、一方のマガジン２１Ａから供給される感光材料Ｐ及び他方のマガジン２１Ｂから供給される感光材料Ｐの何れをもアドバンスローラ３１に圧着させることができる。第二の圧着ローラ３２Ｂは、制御手段の制御により、搬送経路Ｌ２に進入してアドバンスローラ３１に圧着する位置（実線）と該搬送経路Ｌ２から退避して圧着解除する位置（二点鎖線）とに姿勢変更が可能で、一方のマガジン２１Ａから供給される感光材料Ｐをアドバンスローラ３１に圧着させることができる。第三の圧着ローラ３２Ｃは、制御手段の制御により、搬送経路Ｌ１に進入してアドバンスローラ３１に圧着する位置（実線）と該搬送経路Ｌ１から退避して圧着解除する位置（二点鎖線）とに姿勢変更が可能で、他方のマガジン２１Ｂから供給される感光材料Ｐをアドバンスローラ３１に圧着させることができる。尚、圧着ローラ３２Ａ，３２Ｂ間及び圧着ローラ３２Ａ，３２Ｃ間には、感光材料Ｐが搬送経路Ｌ１，Ｌ２から離脱するのを防止すべく、アドバンスローラ３１の外周面と所定間隔を有してガイド板３５が配設され、また、圧着解除位置にある圧着ローラ３２Ｂ，３２Ｃは、例えばその接線が搬送経路Ｌ２，Ｌ１と一致あるいは近接するように位置することで、それぞれ感光材料Ｐが搬送経路Ｌ２，Ｌ１から離脱するのを防止するガイド部材として機能する。
【００２５】
図３は、アドバンスローラ３１と送り出しローラ２３Ａ，２３Ｂとの駆動伝達系の概略斜視図を示したものである。アドバンスローラ３１は、駆動用ギア（回転伝達手段）３１ａを備えている。中間ギア（回転伝達手段・切換手段）３６ａは、駆動用ギア３１ａの軸と平行になるようにラックギア３７に固着された軸体３６に軸支されて、駆動用ギア３１ａと噛合する。そして、ラックギア３７は、切換用モータ（切換手段）３８の駆動軸に嵌合されたピニオンギア（切換手段）３９と噛合する。
【００２６】
従って、ラックギア３７は、制御手段の制御に基づくピニオンギア３９の回転変位により直線移動し、これに伴って、中間ギア３６ａはその軸方向に変位する。但し、この中間ギア３６ａの変位によっても、駆動用ギア３１ａとの噛合が解除されないよう、駆動用ギア３１ａあるいは中間ギア３６ａの軸方向長さが設定されている。
【００２７】
第一のマガジン駆動用ギア（回転伝達手段）２５ａは、一方のマガジン２１Ａの送り出しローラ２３Ａにタイミングベルト（図示しない）を介して連結されている軸体２５に嵌合されて、中間ギア３６ａと噛合し、第二のマガジン駆動用ギア（回転伝達手段）２６ａは、他方のマガジン２１Ｂの送り出しローラ２３Ｂにタイミングベルト（図示しない）を介して連結されている軸体２６に嵌合されて、中間ギア３６ａと噛合する。
【００２８】
但し、第一及び第二のマガジン駆動用ギア２５ａ，２６ａは、軸方向における位置が互いにずれているため、中間ギア３６ａは、その軸方向の変位によって、何れか一方のみと噛合し、あるいは両方とも噛合しない位置に切換られるようになっている。
【００２９】
第一のマガジン２１Ａの感光材料Ｐの搬送態様を図２に基づき説明すると、まず、制御手段は、中間ギア３６ａを第一のマガジン駆動用ギア２５ａとの噛合状態に切り替える指令を発すると共に、圧着ローラ３２Ｂを圧着姿勢にし且つ圧着ローラ３２Ｃを圧着解除姿勢にする指令を発する。次に、アドバンスローラ３１の回転指令を発する。すると、該アドバンスローラ３１の回転は、駆動用ギア３１ａ及び中間ギア３６ａを介して第一のマガジン駆動用ギア２５ａに伝達され、一方のマガジン２１Ａの送り出しローラ２３Ａが回転して、ここの感光材料Ｐが供給口２４から排出され、しかる後、入口のガイド板３５，３５間を通って略水平方向から第一の搬送ユニット３０内に供給される。
【００３０】
そして、搬送経路Ｌ１に入った感光材料Ｐは、アドバンスローラ３１及び圧着解除姿勢にある圧着ローラ３２Ｃ間、アドバンスローラ３１及びガイド板３５間、アドバンスローラ３１及び圧着ローラ３２Ａ間、アドバンスローラ３１及びガイド板３５間、アドバンスローラ３１及び圧着姿勢にある圧着ローラ３２Ｂを通り、圧着ローラ３２Ａ，３２Ｂの圧着作用及びアドバンスローラ３１の回転作用でそのまま搬送経路Ｌ１から搬送経路Ｌ３に移行し、カッター３３により所定長さに切断された状態でさらに下流側に搬送される。因みに、圧着ローラ３２Ｂが圧着解除姿勢にあれば、一方のマガジン２１Ａから供給される感光材料Ｐは、搬送経路Ｌ２を逆行することとなる。
【００３１】
次に、かかる状態からの第二のマガジン２１Ｂの感光材料Ｐの搬送態様を説明すると、まず、搬送経路Ｌ１，Ｌ３に存在する、先に説明した第一のマガジン２１Ａの感光材料Ｐを搬送経路Ｌ１，Ｌ３から退避させる必要があるから、中間ギア３６ａ及び圧着ローラ３２Ｂ，３２Ｃはそのままで、制御手段は、アドバンスローラ３１の逆転指令を発する。アドバンスローラ３１の逆転指令は、搬送経路Ｌ１，Ｌ３を逆行する感光材料Ｐがアドバンスローラ３１及び圧着ローラ３２Ｂ間を外れ、さらにマガジン２１Ａ内に完全に収容されるまで（但し、感光材料Ｐの先端部が送り出しローラ２３から外れない位置までとする必要はある）継続される。
【００３２】
そして、次に、制御手段は、中間ギア３６ａを第二のマガジン駆動用ギア２６ａとの噛合状態に切り替える指令を発すると共に、圧着ローラ３２Ｂを圧着解除姿勢にし且つ圧着ローラ３２Ｃを圧着姿勢にする指令を発して、アドバンスローラ３１を再度逆転させる。すると、該アドバンスローラ３１の回転は、駆動用ギア３１ａ及び中間ギア３６ａを介して第二のマガジン駆動用ギア２６ａに伝達され、他方のマガジン２１Ｂの送り出しローラ２３Ｂが回転して、ここの感光材料Ｐが供給口２４から排出され、しかる後、入口のガイド板３５，３５間を通って略垂下方向から第一の搬送ユニット３０内に供給される。
【００３３】
そして、搬送経路Ｌ２に入った感光材料Ｐは、アドバンスローラ３１及び圧着解除姿勢にある圧着ローラ３２Ｂ間、アドバンスローラ３１及びガイド板３５間、アドバンスローラ３１及び圧着ローラ３２Ａ間、アドバンスローラ３１及びガイド板３５間、アドバンスローラ３１及び圧着姿勢にある圧着ローラ３２Ｃを通り、圧着ローラ３２Ａ，３２Ｃの圧着作用及びアドバンスローラ３１の回転作用でそのまま搬送経路Ｌ２から搬送経路Ｌ３に移行し、カッター３３により所定長さに切断された状態でさらに下流側に搬送される。因みに、圧着ローラ３２Ｃが圧着解除姿勢にあれば、他方のマガジン２１Ｂから供給される感光材料Ｐは搬送経路Ｌ１を逆行することとなる。
【００３４】
尚、第一及び第二のマガジン２１Ａ，２１Ｂから供給される感光材料Ｐは、アドバンスローラ３１の回転数（パルス信号）に基づいて、その供給量（供給長さ）が把握される。そして、その供給量に関する信号に基づいて制御手段がカッタ３３の作動指令を発することにより、感光材料Ｐが適当な長さに切断されるようになっている。
【００３５】
以上のように、本実施形態に係る写真処理装置は、アドバンスローラ３１を一つにし、各感光材料Ｐのアドバンスローラ３１に対する巻き付け方向が互いに反対となるようにアドバンスローラ３１を配置し、アドバンスローラ３１の回転方向を変えることにより、一方の感光材料Ｐのみを選択的に搬送する構成を採用するものであり、また、アドバンスローラ３１と各マガジン２１の送り出しローラ２３とを連結して同期させる構成を採用するものである。
【００３６】
従って、アドバンスローラ３１の数を従来のものに比して一本減らすことがきで、これに合わせて圧着ローラ３２の数やその他の部品点数を減らすことができ、さらにマガジン２１の送り出しローラ２３の駆動源を無くしたり、その他の部品点数を減らすことができるため、組立工数及びコストを低減することができるばかりでなく、搬送ユニット３０ひいては装置全体の小型化を図ることができる。また、定期メンテナンスにおけるアドバンスローラ３１の拭き掃除（清掃作業）が従来の半分の時間で済むようになる。
【００３７】
尚、本発明は上記実施形態に限定されるものではなく、本発明の要旨を逸脱しない範囲にて変更可能である。
【００３８】
例えば、上記実施形態においては、アドバンスローラ３１の駆動をマガジン２１の送り出しローラ２３に伝達するようにしているが、送り出しローラ２３でなく、芯体２２の回転作用で感光材料Ｐを送り出す構成のマガジン２１であれば、アドバンスローラ３１の駆動を芯体２２に伝達するようにしてもよい。この意味で、芯体２２も回転駆動体となる。
【００３９】
また、上記実施形態においては、アドバンスローラ３１の回転を送り出しローラ２３に伝達する回転伝達手段を、駆動用ギア３１ａ、中間ギア３６ａ、マガジン駆動用ギア２５ａ，２６ａで構成すると共に、アドバンスローラ３１の回転を送り出しローラ２３Ａ，２３Ｂの何れか一方のみに伝達する切換手段を、中間ギア３６ａ、ラックギア３７、切換モータ３８、ピニオンギア３９で構成するようにしているが、これらの構成は適宜設計変更が可能である。
【００４０】
また、上記実施形態においては、回転伝達手段及び切換手段を以て、アドバンスローラ３１と一方の送り出しローラ２３との同期を取るようにしているが、アドバンスローラ３１と送り出しローラ２３は、それぞれ別個の駆動源によって回転駆動するようにしてもよい。
【００４１】
また、上記実施形態においては、搬送経路Ｌ３を挟んで一対のマガジン２１Ａ，２１Ｂを対向配置する、即ち一対のマガジン２１Ａ，２１Ｂ間に搬送経路Ｌ３を通すようにしているが、これに限定されず、要は、各感光材料Ｐのアドバンスローラ３１に対する巻き付け方向が互いに反対となるようなアドバンスローラ３１の配置であれば、本発明の意図するところである。
【００４２】
また、上記実施形態においては、アドバンスローラ３１における搬送経路切換手段として、圧着姿勢及び圧着解除姿勢を取る圧着ローラ３２Ｂ，３２Ｃを利用しているが、例えば各搬送経路Ｌ１，Ｌ２に出退する搬送経路切換アームといった構成を採用することもできる。
【００４３】
また、上記実施形態においては、圧着解除姿勢にある圧着ローラ３２Ｂ，３２Ｃも、ガイド板３５と共に、感光材料Ｐを搬送経路Ｌ２，Ｌ１に沿って搬送させるためのガイド部材と機能させるようにしているが、圧着ローラ３２Ｂ，３２Ｃよりもそれぞれ上流側であって、感光材料Ｐの乳剤面側に位置するガイド板３５，３５、そして、圧着ローラ３２Ａ，３２Ｂ間及び圧着ローラ３２Ａ，３２Ｃ間における感光材料Ｐの乳剤面側に位置するガイド３５，３５の四つのガイド板３５，…を一枚の板部材で構成する（但し、圧着ローラ３２Ａ，３２Ｂ，３２Ｃをそれぞれストレートでなく、段付きにすると共に、このガイド板の適所に圧着ローラ３２Ａ，３２Ｂ，３２Ｃ用の切欠穴を設ける必要はある）ようにすれば、圧着ローラ３２Ｂ，３２Ｃの圧着解除位置は特に限定されない。
【００４４】
また、上記実施形態においては、一方の感光材料Ｐを搬送する際、他方の感光材料Ｐをマガジン２１内に完全に引き戻すようにしているが、要は他方の感光材料Ｐが一方の感光材料Ｐの搬送阻害とならなければよいのであるから、例えば、他方の感光材料Ｐをアドバンスローラ３１よりも若干上流側へ引き戻すのみであってもよい。
【００４５】
また、圧着ローラ３２は本発明の必須要素ではない。露光方式は、アナログ式に限られず、デジタル式であってもよい。感光材料Ｐは、ロール紙でなく、裁断紙であってもよい。
【００４６】
また、上記実施形態においては、記録材料を感光材料とし、記録材料の搬送装置を写真処理装置に搭載したものについて説明したが、本発明は写真処理装置のみに限定されず、例えば、印刷装置のように、記録材料を取り扱う装置の全てを対象とするものである。
【００４７】
【発明の効果】
以上の如く、本発明に係る記録材料の搬送機構によれば、従来は各マガジンの数に対応して必要とされていた複数の搬送ローラ（アドバンスローラ）を一つにすることができるため、部品点数が減ることにより、組立工数及びコストを低減することができる。
【図面の簡単な説明】
【図１】本発明の一実施形態に係る写真処理装置の概略斜視図を示す。
【図２】同実施形態に係る写真処理装置の露光処理部の概略断面図を示す。
【図３】同実施形態に係る写真処理装置のアドバンスローラ及びマガジンの送り出しローラ間の駆動伝達系の概略斜視図を示す。
【図４】従来の写真処理装置の露光処理部の概略断面図を示す。
【符号の説明】
２…露光処理部、８…現像処理部、２１…マガジン、２１Ａ…第一のマガジン、２１Ｂ…第二のマガジン、２２…芯体（回転駆動体）、２３…送り出しローラ（回転駆動体）、２３Ａ…第一の送り出しローラ、２３Ｂ…第二の送り出しローラ、２５ａ…第一のマガジン駆動用ギア（回転伝達手段）、２６ａ…第二のマガジン駆動用ギア（回転伝達手段）、３１…アドバンスローラ（搬送ローラ）、３１ａ…駆動用ギア（回転伝達手段）、３２…圧着ローラ、３２Ａ…第一の圧着ローラ、３２Ｂ…第二の圧着ローラ、３２Ｃ…第三の圧着ローラ、３６ａ…中間ギア（回転伝達手段・切換手段）、３７…ラックギア（切換手段）、３８…切換モータ（切換手段）、３９…ピニオンギア（切換手段）、Ｌ１，Ｌ２，Ｌ３…搬送経路
【図１】
2004018197.tif 000003
【図２】
2004018197.tif 000004
【図３】
2004018197.tif 000005
【図４】
2004018197.tif 000006